(57)【要約】【課題】ミラーキャビネットを外すことなく水栓のメンテナンスを行うことができる、あるいはすっきりとしたデザインを表現することができる洗面化粧台を提供することを目的とする。【解決手段】洗面台と、水栓ユニットと、ミラーキャビネットと、隠蔽体と、を備えた洗面化粧台が提供される。ミラーキャビネットは、洗面台のバックガードの上部に配設され、収納棚と、収納棚の前方を開閉可能に覆うミラーと、収納棚の下部に設けられ下方および後方が開口された水栓ユニット収納部と、を有する。水栓ユニットは、水栓ユニット収納部に収納されている。ミラーキャビネットは、水栓ユニット収納部の上部および前部のうちの少なくとも一部を外部に開放させ水栓ユニットの点検を可能とする点検口を有する。点検口は、隠蔽体により塞がれている。【選択図】図４
2013192813.tif 000002
【特許請求の範囲】
【請求項１】
ボウル部と、前記ボウル部の後部に立設されたバックガードと、を有する洗面台と、
前記バックガードの上部に配設され、収納棚と、前記収納棚の前方を開閉可能に覆うミラーと、前記収納棚の下部に設けられ下方および後方が開口された水栓ユニット収納部と、を有するミラーキャビネットと、
前記バックガードの上部に配設されて前記水栓ユニット収納部に収納され、前記ボウル部に吐水する吐水部を有する水栓ユニットと、
前記ミラーキャビネットに設けられた隠蔽体と、
を備え、
前記ミラーキャビネットは、前記水栓ユニット収納部の上部および前部のうちの少なくとも一部を外部に開放させ前記水栓ユニットの点検を可能とする点検口を有し、
前記吐水部の先端部は、前記ミラーキャビネットの下部から下方へ露出し、
前記点検口は、前記隠蔽体により塞がれたことを特徴とする洗面化粧台。
【請求項２】
前記点検口は、前記収納棚に設けられ前記水栓ユニット収納部の収納空間と前記収納棚の収納空間とを連通させる貫通孔であり、
前記隠蔽体は、前記貫通孔を塞ぎ前記ミラーキャビネットに対して着脱可能とされた棚板であることを特徴とする請求項１記載の洗面化粧台。
【請求項３】
前記棚板は、前記棚板の底部を形成する棚板底部と、前記棚板底部の周囲に設けられた側壁と、を有し、トレイ形状を呈することを特徴とする請求項２記載の洗面化粧台。
【請求項４】
ボウル部と、前記ボウル部の後部に立設されたバックガードと、を有する洗面台と、
前記バックガードの上部に配設され、前記ボウル部に吐水する吐水部を有する水栓ユニットと、
前記バックガードの上部に配設され、収納棚と、前記収納棚の前方を開閉可能に覆うミラーと、前記収納棚の下部に設けられ下方および後方が開口された水栓ユニット収納部と、を有するミラーキャビネットと、
前記水栓ユニット収納部の上部および前部の少なくとも一部を構成するカバー体と、
を備え、
前記水栓ユニットは、前記水栓ユニット収納部に収納され、
前記吐水部の先端部は、前記ミラーキャビネットの下部から下方へ露出し、
前記カバー体は、前記ミラーキャビネットに対して着脱可能に取り付けられ、
前記カバー体の上面部は、前記カバー体が前記ミラーキャビネットに取り付けられた状態において前記収納棚の一部を形成することを特徴とする洗面化粧台。
【発明の詳細な説明】
【技術分野】
【０００１】
本発明の態様は、一般的に、洗面化粧台に関する。
【背景技術】
【０００２】
一般的に、洗面化粧台の水栓は、洗面ボウル上から略上方へ突出している。これに対して、水栓を隠し、すっきりとした外観を有する洗面化粧台が望まれている。
【０００３】
例えば、ミラーキャビネット部の前面に設けたミラーの下端部で吐水部の前方を覆って吐水部のバックガード又はミラーキャビネット部の下端部への取付け部を含む吐水部の一部又は全部を隠す洗面ミラーキャビネットがある（特許文献１）。また、例えば、立ち上がり壁部の幅方向の一部の上方にカラン部を突設し、ミラーキャビネットの下部に前方及び下方に開口する凹所を形成し、カラン部を収めた凹所の前方をミラーで覆って成る洗面化粧台がある（特許文献２）。
【０００４】
しかし、特許文献１に記載された洗面ミラーキャビネットおよび特許文献２に記載された洗面化粧台では、ミラーが開くと吐水部およびカラン部が外部に露出する。そのため、すっきりとした外観の向上という点においては、改善の余地がある。そこで、本発明者は、水栓をミラーの裏側に設置し、ミラーが開いても水栓の少なくとも一部を外部から隠すことを検討している。
【０００５】
しかし、水栓がミラーの裏側に設けられると、作業者が水栓をメンテナンスするときにミラーキャビネットを外さなければならないことがある。すると、作業が煩雑あるいは面倒となる場合がある。そこで、ミラーキャビネットを外すことなく、ミラーキャビネットの背後に隠された水栓のメンテナンスを行うことができる洗面化粧台が望まれている。
【先行技術文献】
【特許文献】
【０００６】
【特許文献１】特許第４８４０２１６号公報
【特許文献２】特開２００８−２３７６０２号公報
【発明の概要】
【発明が解決しようとする課題】
【０００７】
本発明は、かかる課題の認識に基づいてなされたものであり、ミラーキャビネットを外すことなく水栓のメンテナンスを行うことができる、あるいはすっきりとしたデザインを表現することができる洗面化粧台を提供することを目的とする。
【課題を解決するための手段】
【０００８】
第１の発明は、ボウル部と、前記ボウル部の後部に立設されたバックガードと、を有する洗面台と、前記バックガードの上部に配設され、収納棚と、前記収納棚の前方を開閉可能に覆うミラーと、前記収納棚の下部に設けられ下方および後方が開口された水栓ユニット収納部と、を有するミラーキャビネットと、前記バックガードの上部に配設されて前記水栓ユニット収納部に収納され、前記ボウル部に吐水する吐水部を有する水栓ユニットと、前記ミラーキャビネットに設けられた隠蔽体と、を備え、前記ミラーキャビネットは、前記水栓ユニット収納部の上部および前部のうちの少なくとも一部を外部に開放させ前記水栓ユニットの点検を可能とする点検口を有し、前記吐水部の先端部は、前記ミラーキャビネットの下部から下方へ露出し、前記点検口は、前記隠蔽体により塞がれたことを特徴とする洗面化粧台である。
【０００９】
この洗面化粧台によれば、吐水部を有する水栓ユニットは、ミラーキャビネットの水栓ユニット収納部に収納されている。また、点検口は、隠蔽体により塞がれている。そのため、水栓ユニットのほとんどが外部に露出せず、すっきりとしたデザインの洗面化粧台を提供することができる。
【００１０】
また、隠蔽体が取り外されることで、点検口は、水栓ユニット収納部の上部および前部のうちの少なくとも一部を外部に開放させることができる。そのため、例えばメンテナンスを行う作業者等は、隠蔽体を取り外すことで、ミラーキャビネットの外部から水栓ユニットまで手を伸ばすことができ、ミラーキャビネットを外すことなく水栓ユニットのメンテナンスを行うことができる。
【００１１】
さらに、ミラーの下端部を水栓ユニットの前方まで下げることができる。すなわち、水栓ユニットあるいは吐水部がバックガードの上方に配置されている一方で、ミラーは、水栓ユニットあるいは吐水部のほとんどを覆い隠すように水栓ユニットの前方あるいは下方に延在することができる。そのため、小さな子供であっても、例えば踏み台などを使用することなくミラーを使用することができる。これにより、利便性を向上させた洗面化粧台を提供することができる。
【００１２】
また、第２の発明は、第１の発明において、前記点検口は、前記収納棚に設けられ前記水栓ユニット収納部の収納空間と前記収納棚の収納空間とを連通させる貫通孔であり、
前記隠蔽体は、前記貫通孔を塞ぎ前記ミラーキャビネットに対して着脱可能とされた棚板であることを特徴とする洗面化粧台である。
【００１３】
この洗面化粧台によれば、作業者等は、棚板を取り外すことで、貫通孔を通して水栓ユニットのメンテナンスを簡単に行うことができる。また、棚板が着脱可能とされているため、使用者等は、棚板の水洗いを容易に行うことができる。
【００１４】
また、第３の発明は、第２の発明において、前記棚板は、前記棚板の底部を形成する棚板底部と、前記棚板底部の周囲に設けられた側壁と、を有し、トレイ形状を呈することを特徴とする洗面化粧台である。
【００１５】
この洗面化粧台によれば、棚板がトレイ形状を呈するため、棚板に入れたあるいは載置した例えば容器などから水や液体が漏れ出しても、漏れ出した水や液体が水栓ユニット収納部の内部に流れ込むことを抑制することができる。そのため、収納棚や水栓ユニットなどに不具合が生ずることを抑制することができる。そのため、使用者は、より安心して洗面化粧台を使用することができる。
【００１６】
また、第４の発明は、ボウル部と、前記ボウル部の後部に立設されたバックガードと、を有する洗面台と、前記バックガードの上部に配設され、前記ボウル部に吐水する吐水部を有する水栓ユニットと、前記バックガードの上部に配設され、収納棚と、前記収納棚の前方を開閉可能に覆うミラーと、前記収納棚の下部に設けられ下方および後方が開口された水栓ユニット収納部と、を有するミラーキャビネットと、前記水栓ユニット収納部の上部および前部の少なくとも一部を構成するカバー体と、を備え、前記水栓ユニットは、前記水栓ユニット収納部に収納され、前記吐水部の先端部は、前記ミラーキャビネットの下部から下方へ露出し、前記カバー体は、前記ミラーキャビネットに対して着脱可能に取り付けられ、前記カバー体の上面部は、前記カバー体が前記ミラーキャビネットに取り付けられた状態において前記収納棚の一部を形成することを特徴とする洗面化粧台である。
【００１７】
この洗面化粧台によれば、吐水部を有する水栓ユニットは、ミラーキャビネットの水栓ユニット収納部に収納されている。また、水栓ユニット収納部の上部および前部の少なくとも一部は、カバー体により構成されている。そのため、水栓ユニットのほとんどが外部に露出せず、すっきりとしたデザインの洗面化粧台を提供することができる。
【００１８】
また、カバー体は、ミラーキャビネットに対して着脱可能に取り付けられている。そのため、例えばメンテナンスを行う作業者等は、カバー体を取り外すことで、ミラーキャビネットの外部から水栓ユニットまで手を伸ばすことができ、ミラーキャビネットを外すことなく水栓ユニットのメンテナンスを行うことができる。さらに、水栓ユニットの上部および前部の少なくとも一部を構成するカバー体が着脱可能であるため、水栓ユニットをより広い範囲にわたって外部に露出させることができる。そのため、水栓ユニットのメンテナンスをより一層容易に行うことができる。また、カバー体の上面部は、カバー体がミラーキャビネットに取り付けられた状態において収納棚の一部を形成するため、収納棚が汚れた場合でも収納棚の水洗いを容易に行うことができる。
【００１９】
さらに、ミラーの下端部を水栓ユニットの前方まで下げることができる。すなわち、水栓ユニットあるいは吐水部がバックガードの上方に配置されている一方で、ミラーは、水栓ユニットあるいは吐水部のほとんどを覆い隠すように水栓ユニットの前方あるいは下方に延在することができる。そのため、小さな子供であっても、例えば踏み台などを使用することなくミラーを使用することができる。これにより、利便性を向上させた洗面化粧台を提供することができる。
【発明の効果】
【００２０】
本発明の態様によれば、ミラーキャビネットを外すことなく水栓のメンテナンスを行うことができる、あるいはすっきりとしたデザインを表現することができる洗面化粧台が提供される。
【図面の簡単な説明】
【００２１】
【図１】本発明の実施の形態にかかる洗面化粧台を表す模式図である。
【図２】本実施形態にかかる洗面化粧台を表す模式的斜視図である。
【図３】本実施形態の水栓ユニットの近傍を表す模式的斜視図である。
【図４】本実施形態の吐水部の近傍を表す模式的断面図である。
【図５】本実施形態の水栓ユニットを表す模式的斜視図である。
【図６】メンテナンスの作業前の状態を例示する模式的斜視図である。
【図７】メンテナンスの作業前の状態を例示する模式的断面図である。
【図８】メンテナンスの作業前の状態を例示する模式的断面図である。
【図９】本実施形態の棚板を取り外した状態を例示する模式的斜視図である。
【図１０】本実施形態の棚板および前面カバーを取り外した状態を例示する模式的斜視図である。
【図１１】本実施形態にかかる洗面化粧台の変形例を例示する模式的断面図である。
【図１２】本実施形態にかかる洗面化粧台の他の変形例を例示する模式的断面図である。
【図１３】本実施形態の隠蔽体の変形例を例示する模式的斜視図である。
【図１４】本実施形態の隠蔽体の変形例を例示する模式的断面図である。
【図１５】本実施形態の隠蔽体の変形例を例示する模式的断面図である。
【図１６】本実施形態にかかる洗面化粧台のさらに他の変形例を例示する模式的斜視図である。
【図１７】本実施形態にかかる洗面化粧台のさらに他の変形例を例示する模式的斜視図である。
【図１８】本実施形態にかかる洗面化粧台のさらに他の変形例を例示する模式的斜視図である。
【図１９】ミラーキャビネットと水栓ユニットとの係合部を表す模式的断面図である。
【発明を実施するための形態】
【００２２】
以下、本発明の実施の形態について図面を参照しつつ説明する。なお、各図面中、同様の構成要素には同一の符号を付して詳細な説明は適宜省略する。  
図１は、本発明の実施の形態にかかる洗面化粧台を表す模式図である。  
また、図２は、本実施形態にかかる洗面化粧台を表す模式的斜視図である。  
また、図３は、本実施形態の水栓ユニットの近傍を表す模式的斜視図である。
【００２３】
なお、図１（ａ）は、本実施形態にかかる洗面化粧台を表す模式的斜視図である。図１（ｂ）は、本実施形態にかかる洗面化粧台を前方から眺めたときの模式的平面図である。図１（ｃ）は、本実施形態にかかる洗面化粧台を右側方から眺めたときの模式的平面図である。図２（ａ）は、本実施形態のミラーが開いた状態を例示する模式的斜視図である。図２（ｂ）は、本実施形態のミラーを省略した状態を例示する模式的斜視図である。
【００２４】
本実施形態の洗面化粧台１００は、洗面台２００と、水栓ユニット３００と、ミラーキャビネット４００と、を備える。  
洗面台２００は、例えば床面に設置され、ボウル部２０１と、ボウル部２０１の後部に立設されたバックガード２０３と、を有する。ボウル部２０１とバックガード２０３とについては、一体成形するのが好ましいが、別々に成形したものを接続してもよい。図２および図３に表したように、水栓ユニット３００は、バックガード２０３の上方に配置され、例えば後方に設置された壁面５０１に固定されている。水栓ユニット３００は、水栓ユニット本体３１０と、ボウル部２０１に吐水する吐水部３２０と、吐水部３２０から吐水される水の温度および流量を使用者が調整するために操作するハンドル部３３７と、を有する。水栓ユニット３００については、後に詳述する。
【００２５】
ミラーキャビネット４００は、バックガード２０３の上方に配置され、例えば後方に設置された壁面５０１に固定されている。ミラーキャビネット４００は、収納棚４１０と、収納棚４１０の前方を開閉可能に覆うミラー４２０と、水栓ユニット収納部４５０と、を有する。また、ミラーキャビネット４００は、水栓ユニット収納部４５０と、閉じた状態のミラー４２０と、の間に形成されたフロント面４３１を有する。図２（ａ）および図２（ｂ）に表したように、ミラー４２０の上端部および下端部には、一対の蝶番４２５が取り付けられている。また、蝶番４２５は、ミラーキャビネット４００のフロント面４３１に取り付けられている。これにより、ミラー４２０は、蝶番４２５の軸を中心として回動することができ、収納棚４１０の前方を開閉可能に覆うことができる。  
なお、図１および図２に表した洗面化粧台１００のミラーキャビネット４００は、３つのミラー４２０を有しているが、ミラー４２０の設置数は、これだけに限定されるわけではない。
【００２６】
ここで、本願明細書においては、ミラー４２０を向いて洗面化粧台１００の前に立つ使用者からみて上方を「上方」とし、下方を「下方」とし、右側を「右側方」とし、左側を「左側方」とし、手前側を「前方」とし、奥側を「後方」とする。  
また、本願明細書において「水」という場合には、冷水のみならず、加熱されたお湯も含むものとする。
【００２７】
図２（ｂ）および図３に表したように、ミラーキャビネット４００は、収納棚４１０の下部に水栓ユニット収納部４５０を有する。水栓ユニット収納部４５０の下方および後方は、開口されている。水栓ユニット３００は、ミラーキャビネット４００の水栓ユニット収納部４５０に収納されている。水栓ユニット３００が水栓ユニット収納部４５０に収納された状態では、吐水部３２０の先端部およびハンドル部３３７の先端部は、ミラーキャビネット４００の下部から下方へ露出している。
【００２８】
図２および図３に表したように、ミラーキャビネット４００は、収納棚４１０の底部４１１に形成された第１の点検口４１３を有する。第１の点検口４１３は、水栓ユニット収納部４５０の上部の少なくとも一部を外部に開放させることができる。第１の点検口４１３は、例えば貫通孔として形成され、水栓ユニット収納部４５０の収納空間と収納棚４１０の収納空間とを連通させることができる。これにより、第１の点検口４１３は、水栓ユニット３００の上部の少なくとも一部を外部に露出させることができる。  
なお、本願明細書において「収納空間」とは、水栓ユニット収納部あるいは収納棚において収納対象物を収納できる空間をいうものとする。
【００２９】
また、ミラーキャビネット４００は、フロント面４３１に形成された第２の点検口４３３を有する。第２の点検口４３３は、水栓ユニット収納部４５０の前部の少なくとも一部を外部に開放させることができる。第２の点検口４３３は、例えば貫通孔として形成され、ミラー４２０が開いた状態において、水栓ユニット収納部４５０の収納空間と外部とを連通させることができる。これにより、第２の点検口４３３は、水栓ユニット３００の前部の少なくとも一部を外部に露出させることができる。
【００３０】
本実施形態にかかる洗面化粧台１００が使用される通常状態（実使用状態）では、第１の点検口４１３および第２の点検口４３３は、後述する隠蔽体により塞がれている。そのため、洗面化粧台１００が使用される通常状態では、ミラー４２０が開いても、水栓ユニット３００の上部が第１の点検口４１３を通して外部に露出することはない。これと同様に、洗面化粧台１００が使用される通常状態では、ミラー４２０が開いても、水栓ユニット３００の前部が第２の点検口４３３を通して外部に露出することはない。
【００３１】
これについて、図面を参照しつつさらに説明する。  
図４は、本実施形態の吐水部の近傍を表す模式的断面図である。  
また、図５は、本実施形態の水栓ユニットを表す模式的斜視図である。  
なお、図４は、図１（ｂ）に表した切断面Ａ−Ａにおける模式的断面図である。
【００３２】
図４に表したように、収納棚４１０の底部４１１には、棚板（隠蔽体）４６１が設けられている。棚板４６１は、水栓ユニット収納部４５０の収納空間と収納棚４１０の収納空間とを連通させる第１の点検口（貫通孔）４１３を塞いでいる。また、棚板４６１は、ミラーキャビネット４００の収納棚４１０に対して着脱可能とされている。さらに、棚板４６１は、収納棚４１０の底部４１１と同じ面積を有している。
【００３３】
図４に表したように、ミラーキャビネット４００のフロント面４３１には、前面カバー（隠蔽体）４６３が設けられている。前面カバー４６３は、水栓ユニット収納部４５０の収納空間と外部とを連通させる第２の点検口（貫通孔）４３３を塞いでいる。また、前面カバー４６３は、ミラーキャビネット４００のフロント面４３１に対して着脱可能とされている。
【００３４】
これにより、洗面化粧台１００が使用される通常状態では、第１の点検口４１３は棚板４６１により塞がれ、第２の点検口４３３は前面カバー４６３により塞がれている。
【００３５】
また、図４に表したように、ミラー４２０の下端部４２１の高さ方向（上下方向）の位置は、フロント面４３１の下端部４３５の高さ方向の位置と略同じである。そのため、洗面化粧台１００の前に立つ使用者からみると、吐水部３２０がミラー４２０の下端部４２１から露出している。これにより、ミラー４２０と吐水部３２０との間における境界線が見えにくくなり、すっきりとしたデザインの洗面化粧台１００を提供することができる。
【００３６】
ここで、本実施形態の水栓ユニット３００について説明する。  
図５に表したように、本実施形態の水栓ユニット３００は、水栓ユニット本体３１０と、吐水部３２０と、混合栓３３０と、を有する。水栓ユニット本体３１０は、例えば樹脂などにより形成され、吐水部３２０および混合栓３３０を保持することができる。水栓ユニット本体３１０は、吐水部３２０および混合栓３３０を保持しつつ、例えばねじなどの締結部材３４１により壁面５０１（図４参照）に固定されている。また、水栓ユニット本体３１０の上部は、開放されている。その開放部から、混合栓３３０や後述する配水ホース３２９が露出している。
【００３７】
また、水栓ユニット本体３１０は、前方下端部に設けられた傾斜面３１１を有する。傾斜面３１１は、その法線方向が洗面台２００のボウル部２０１の側（前方且つ下方の側）を向くように形成されている。
【００３８】
混合栓３３０は、例えば吐水部３２０の右側方において水栓ユニット本体３１０に取り付けられている。混合栓３３０は、混合栓本体３３１と、本体固定部材３３２と、カートリッジ３３３と、カートリッジ固定部材３３４と、ハンドル部３３７と、を有する。混合栓本体３３１は、本体固定部材３３２により水栓ユニット本体３１０に固定されている。カートリッジ３３３は、カートリッジ固定部材３３４により混合栓本体３３１に固定されている。ハンドル部３３７は、例えばねじなどの締結部材３３９によりカートリッジ３３３に取り付けられている。
【００３９】
また、混合栓本体３３１には、第１の配水管３３５と第２の配水管３３６とが接続されている。第１の配水管３３５および第２の配水管３３６のいずれか一方は、図示しない給湯源からの加熱された湯をカートリッジ３３３へ導く。第１の配水管３３５および第２の配水管３３６のいずれか他方は、図示しない給水源からの水をカートリッジ３３３へ導く。混合栓３３０は、使用者によるハンドル部３３７の操作に基づいて、第１の配水管３３５および第２の配水管３３６を通して供給された湯と水とを混合する。そして、混合栓３３０は、温度を調整した混合水を配水ホース３２９を通して吐水部３２０へ供給する。また、混合栓３３０は、使用者によるハンドル部３３７の操作に基づいて、第１の配水管３３５および第２の配水管３３６を通して供給された湯および水の流量を調整し、流量を調整した水を配水ホース３２９を通して吐水部３２０へ供給する。
【００４０】
吐水部３２０は、水栓ユニット本体３１０の傾斜面３１１に取り付けられている。吐水部３２０の軸方向あるいは延在方向は、傾斜面３１１に対して垂直方向すなわち傾斜面３１１の法線方向である。そして、吐水部３２０は、吐水部３２０と混合栓３３０とに接続された配水ホース３２９を通して混合栓３３０から供給された混合水を吐水孔３２１からボウル部２０１に吐出する。
【００４１】
これによれば、吐水部３２０が前方へ向かって吐水するため、使いやすい洗面化粧台１００を提供することができる。また、吐水部３２０は、その軸方向が傾斜面３１１に対して垂直方向となるように傾斜面３１１に取り付けられているため、吐水部３２０の形状を例えば円筒状などのようにシンプルな形状とすることができる。これにより、製造コストを低減することができる。なお、吐水部３２０が曲がっている場合には、吐水部３２０の傾斜面３１１への取付部の軸方向を傾斜面３１１に対して垂直方向とすればよい。
【００４２】
ここで、前述したように、混合栓３３０のカートリッジ３３３は、吐水部３２０へ供給する水の温度や流量を使用者によるハンドル部３３７の操作に基づいて調整する。そのため、例えば異物の噛み込みやメンテナンスに応じてカートリッジ３３３の交換が必要となる場合がある。カートリッジ３３３の交換作業については、混合栓３３０の前方から行われる場合や、混合栓３３０の上方から行われる場合や、混合栓３３０の前方および上方から行われる場合などのように種々の作業方法が存在する。そのため、水栓ユニット収納部４５０の上部および前部のうちの少なくとも一部を外部に開放させることができるようにし、水栓ユニット３００の上方および前方の少なくともいずれかから混合栓３３０のメンテナンスを簡略的に行うことができるようにしておくことが望ましい。
【００４３】
これに対して、本実施形態にかかる洗面化粧台１００によれば、例えばメンテナンスを行う作業者等は、棚板４６１を取り外すことで、水栓ユニット収納部４５０の上部の少なくとも一部を第１の点検口４１３により外部に開放させることができる。そして、作業者等は、水栓ユニット３００の上方から第１の点検口４１３を通して混合栓３３０のメンテナンスを簡単に行うことができる。これと同様に、作業者等は、前面カバー４６３を取り外すことで、水栓ユニット収納部４５０の前部の少なくとも一部を第２の点検口４３３により外部に開放させることができる。そして、作業者は、水栓ユニット３００の前方から第２の点検口４３３を通して混合栓３３０のメンテナンスを簡単に行うことができる。また、棚板４６１が着脱可能とされているため、使用者等は、棚板４６１の水洗いを容易に行うことができる。
【００４４】
以上説明したように、本実施形態によれば、吐水部３２０を有する水栓ユニット３００は、ミラーキャビネット４００の水栓ユニット収納部４５０に収納されている。また、洗面化粧台１００が使用される通常状態では、第１の点検口４１３および第２の点検口４３３は、隠蔽体（棚板４６１、前面カバー４６３）により塞がれている。そのため、水栓ユニット３００のほとんどが外部に露出せず、すっきりとしたデザインの洗面化粧台１００を提供することができる。
【００４５】
また、隠蔽体が取り外されることで、第１の点検口４１３および第２の点検口４３３は、水栓ユニット収納部４５０の上部および前部のうちの少なくとも一部を外部に開放させることができる。そのため、例えばメンテナンスを行う作業者等は、隠蔽体を取り外すことで、ミラーキャビネット４００の外部から水栓ユニット３００まで手を伸ばすことができ、ミラーキャビネット４００を外すことなく水栓ユニット３００のメンテナンスを行うことができる。
【００４６】
また、ミラー４２０の開閉用の蝶番４２５がミラーキャビネット４００のフロント面４３１に取り付けられている。そのため、ミラー４２０の開閉用の蝶番として安価な蝶番を用いることができる。さらに、蝶番の統一性およびミラーキャビネット４００の組立作業の統一を図り、生産性の向上を図ることができる。
【００４７】
これらによれば、ミラー４２０で水栓ユニット３００を隠したすっきりとしたデザインを有し、水栓ユニット３００の点検が容易な洗面化粧台を提供することができる。さらに、ミラー４２０の下端部を水栓ユニット３００の前方まで下げることができる。すなわち、水栓ユニット３００あるいは吐水部３２０がボウル部２０１の上方に配置されている一方で、ミラー４２０は、水栓ユニット３００あるいは吐水部３２０のほとんどを覆い隠すように水栓ユニット３００の前方あるいは下方に延在することができる。そのため、小さな子供であっても、例えば踏み台などを使用することなくミラー４２０を使用することができる。これにより、利便性を向上させた洗面化粧台１００を提供することができる。
【００４８】
なお、前面カバー４６３は、フロント面４３１に取り付けられた状態において混合栓３３０の前方の位置に設けられた切り欠きを有していてもよい。これによれば、ミラー４２０が開いた状態で吐水部３２０が露出することを抑えつつ、作業者は、前面カバー４６３を取り外すことなく混合栓３３０のメンテナンスを前方から行うことができる。
【００４９】
次に、本実施形態の水栓ユニット３００のメンテナンスを行う作業方法の一例について、図面を参照しつつ説明する。  
図６は、メンテナンスの作業前の状態を例示する模式的斜視図である。  
また、図７および図８は、メンテナンスの作業前の状態を例示する模式的断面図である。  
また、図９は、本実施形態の棚板を取り外した状態を例示する模式的斜視図である。  
また、図１０は、本実施形態の棚板および前面カバーを取り外した状態を例示する模式的斜視図である。  
なお、図７は、図６に表した切断面Ｂ−Ｂにおける模式的断面図である。図８は、図６に表した切断面Ｃ−Ｃにおける模式的断面図である。
【００５０】
図６〜図８に表したように、作業者が水栓ユニット３００のメンテナンスの作業を行う前においては、棚板４６１が収納棚４１０の底部４１１に載置されている。そのため、図７および図８に表したように、第１の点検口４１３は、棚板４６１により塞がれている。そのため、図６に表したように、作業者や使用者などがミラー４２０を開けても、水栓ユニット３００が第１の点検口４１３を通して外部に露出することはない。
【００５１】
また、図６〜図８に表したように、作業者が水栓ユニット３００のメンテナンスの作業を行う前においては、前面カバー４６３がミラーキャビネット４００のフロント面４３１に付設されている。そのため、図７および図８に表したように、第２の点検口４３３は、前面カバー４６３により塞がれている。そのため、図６に表したように、作業者や使用者などがミラー４２０を開けても、水栓ユニット３００が第２の点検口４３３を通して外部に露出することはない。
【００５２】
続いて、図９に表したように、作業者は、水栓ユニット３００のメンテナンスの作業を始めるときにミラー４２０を開け、例えば棚板４６１を取り外す。これにより、水栓ユニット収納部４５０の上部の少なくとも一部が、第１の点検口４１３により外部に開放される。すると、作業者は、水栓ユニット３００の上方から第１の点検口４１３を通して水栓ユニット３００のメンテナンスを行うことができる。
【００５３】
また、水栓ユニット３００の前方からメンテナンスを行う場合には、図１０に表したように、前面カバー４６３をさらに取り外す。これにより、水栓ユニット収納部４５０の前部の少なくとも一部が、第２の点検口４３３により外部に開放される。すると、作業者は、水栓ユニット３００の上方および前方から第１の点検口４１３および第２の点検口４３３を通して水栓ユニット３００のメンテナンスを行うことができる。
【００５４】
なお、図６〜図１０に表したメンテナンスの作業方法では、作業者がまず棚板４６１を取り外し、その後に前面カバー４６３を取り外す場合を例に挙げて説明したが、棚板４６１および前面カバー４６３を取り外す順序や箇所は、これだけに限定されない。例えば、作業者は、まず前面カバー４６３を取り外し、その後に棚板４６１を取り外してもよい。あるいは、作業者は、棚板４６１を取り外し、前面カバー４６３を取り外すことなくメンテナンスの作業を行ってもよい。あるいは、作業者は、前面カバー４６３を取り外し、棚板４６１を取り外すことなくメンテナンスの作業を行ってもよい。
【００５５】
次に、本実施形態にかかる洗面化粧台の変形例について、図面を参照しつつ説明する。  図１１は、本実施形態にかかる洗面化粧台の変形例を例示する模式的断面図である。  
なお、図１１は、図１（ｂ）に表した切断面Ａ−Ａにおける模式的断面図に相当する。
【００５６】
図１１に表した洗面化粧台１００ａでは、ミラー４２０ａの下端部４２１ａの高さ方向の位置は、ミラーキャビネット４００のフロント面４３１の下端部４３５の高さ方向の位置よりも高い。そのため、ミラーキャビネット４００のフロント面４３１の少なくとも下端部４３５は、前方へ露出している。その他の構造は、図１〜図５に関して前述した洗面化粧台１００の構造と同様である。
【００５７】
本変形例によれば、本変形例のミラー４２０ａの下端部４２１ａの位置は、図１〜図５に関して前述した洗面化粧台１００のミラー４２０の下端部４２１の位置よりも高い。そのため、吐水部３２０の吐水孔３２１と本変形例のミラー４２０ａとの間の距離は、吐水部３２０の吐水孔３２１と図１〜図５に関して前述した洗面化粧台１００のミラー４２０との間の距離よりも長い。そのため、図１〜図５に関して前述した洗面化粧台１００と比較して、例えば使用者が洗顔などを行う際に水がミラー４２０ａにかかりにくい。これにより、ミラー４２０ａに汚れや水垢が付着することを抑制することができる。
【００５８】
図１２は、本実施形態にかかる洗面化粧台の他の変形例を例示する模式的断面図である。  
なお、図１２は、図１（ｂ）に表した切断面Ａ−Ａにおける模式的断面図に相当する。
【００５９】
図１２に表した洗面化粧台１００ｂでは、ミラーキャビネット４００のフロント面４３１の下端部４３５の高さ方向の位置は、水栓ユニット３００の前部の下端部３１３の高さ方向の位置と略同じである。また、ミラー４２０ｂの下端部４２１ｂの高さ方向の位置は、フロント面４３１の下端部４３５の高さ方向の位置と略同じである。
【００６０】
本変形例によれば、吐水部３２０の上方においてフロント面４３１が下方に突出しないため、吐水部３２０の上方においてフロント面４３１が下方に突出している場合と比較して、使用者等は、吐水部３２０を掴みやすい。そのため、利便性を向上させた洗面化粧台１００ｂを提供することができる。
【００６１】
また、ミラー４２０ｂの下端部４２１ｂの高さ方向の位置と、フロント面４３１の下端部４３５の高さ方向の位置と、が略同じであるため、洗面化粧台１００ｂの前に立つ使用者からみると、吐水部３２０がミラー４２０ｂの下端部４２１ｂから露出している。これにより、ミラー４２０ｂと吐水部３２０との間における境界線が見えにくくなり、さらにすっきりとしたデザインの洗面化粧台１００ｂを提供することができる。
【００６２】
図１３は、本実施形態の隠蔽体の変形例を例示する模式的斜視図である。  
また、図１４および図１５は、本実施形態の隠蔽体の変形例を例示する模式的断面図である。  
なお、図１４は、図１３に表した切断面Ｄ−Ｄにおける模式的断面図である。図１５は、図１３に表した切断面Ｅ−Ｅにおける模式的断面図である。
【００６３】
図１３〜図１５に表したように、本変形例の洗面化粧台１００ｃでは、収納棚４１０の底部４１１に設けられた棚板４７０は、棚板４７０の底部を形成する棚板底部４７１と、棚板底部４７１の周囲に立設された側壁４７３と、を有する。つまり、本変形例の棚板４７０は、トレイ形状を有する。その他の構造は、図１〜図５に関して前述した洗面化粧台１００の構造と同様である。
【００６４】
本変形例によれば、棚板４７０がトレイ形状を有するため、棚板４７０に入れたあるいは載置した例えば容器などから水や液体が漏れ出しても、漏れ出した水や液体が水栓ユニット収納部４５０の内部に流れ込むことを抑制することができる。そのため、収納棚４１０や水栓ユニット３００などに不具合が生ずることを抑制することができる。そのため、使用者は、より安心して洗面化粧台１００ｃを使用することができる。
【００６５】
図１６および図１７は、本実施形態にかかる洗面化粧台のさらに他の変形例を例示する模式的斜視図である。  
なお、図１６は、本変形例のカバー体がミラーキャビネットに取り付けられた状態を表す模式的斜視図である。図１７は、本変形例のカバー体をミラーキャビネットから取り外した状態を表す模式的斜視図である。図１６および図１７では、ミラーを省略している。
【００６６】
図１６および図１７に表したように、本変形例の洗面化粧台１００ｄでは、図１〜図５に関して前述した棚板４６１および前面カバー４６３の代わりにカバー体４８０がミラーキャビネット４００に取り付けられている。カバー体４８０は、第１の点検口４１３および第２の点検口４３３を塞ぐ構造を有する。つまり、カバー体４８０は、水栓ユニット収納部４５０の上方および前方の少なくとも一部を覆う。
【００６７】
具体的には、本実施形態のカバー体４８０は、上面部４８１と、側面部４８３と、を有する。カバー体４８０の上面部４８１は、第１の点検口４１３を塞いでいる。一方、カバー体４８０の側面部４８３は、第２の点検口４３３を塞いでいる。
【００６８】
図１７に表したように、カバー体４８０は、ミラーキャビネット４００に対して着脱可能とされている。図１６に表したように、カバー体４８０がミラーキャビネット４００に取り付けられた状態では、上面部４８１は、収納棚４１０の一部すなわち収納棚４１０の底部を形成する。あるいは、カバー体４８０がミラーキャビネット４００に取り付けられた状態では、上面部４８１の上面は、収納棚４１０の底面を形成する。また、カバー体４８０がミラーキャビネット４００に取り付けられた状態では、側面部４８３の前方側の表面は、ミラーキャビネット４００のフロント面を形成する。その他の構造は、図１〜図５に関して前述した洗面化粧台１００の構造と同様である。
【００６９】
本変形例によれば、洗面化粧台１００ｄが使用される通常状態では、第１の点検口４１３および第２の点検口４３３は、カバー体４８０により塞がれている。また、水栓ユニット３００は、ミラーキャビネット４００に対して着脱可能なカバー体４８０により覆われている。そのため、例えばメンテナンスを行う作業者等は、カバー体４８０を取り外すことで、ミラーキャビネット４００の外部から水栓ユニット３００まで手を伸ばすことができ、ミラーキャビネット４００を外すことなく水栓ユニット３００のメンテナンスを行うことができる。
【００７０】
また、水栓ユニット収納部４５０の上方および前方の少なくとも一部を覆うカバー体４８０が着脱可能であるため、水栓ユニット３００をより広い範囲にわたって外部に露出させることができる。そのため、水栓ユニット３００のメンテナンスをより一層容易に行うことができる。さらに、カバー体４８０の上面部４８１が収納棚４１０の一部を形成するため、収納棚４１０が汚れた場合でも収納棚４１０の水洗いを容易に行うことができる。また、その他の効果についても、図１〜図５に関して前述した効果と同様の効果が得られる。
【００７１】
図１８は、本実施形態にかかる洗面化粧台のさらに他の変形例を例示する模式的斜視図である。  
また、図１９は、ミラーキャビネットと水栓ユニットとの係合部を表す模式的断面図である。  
なお、図１９は、図１８に表した切断面Ｆ−Ｆにおける模式的断面図である。
【００７２】
図１８に表したように、本変形例の洗面化粧台１００ｅのミラーキャビネット４００ａには、水栓ユニット収納部４５０の上部および下部の少なくとも一部を構成するカバー体４８０ａが設けられている。カバー体４８０ａは、ミラーキャビネット４００ａに対して着脱可能とされている。そのため、ミラーキャビネット４００ａからカバー体４８０ａを取り外せば、水栓ユニット３００がミラーキャビネット４００ａの外部に露出するので、水栓ユニット３００のメンテナンスを行うことができる。いわば、カバー体４８０ａを取り外した後にできる開口部が第３の点検口４１５となる。第３の点検口４１５は、図２および図３に関して前述した第１の点検口４１３と第２の点検口４３３とが繋がった構造を有する。つまり、第３の点検口４１５は、収納棚４１０ａの底部４１１からミラーキャビネット４００ａのフロント面４３１に亘って形成されている。
【００７３】
図１９に表したように、収納棚４１０ａの下部には、水栓ユニット３００へ向かって突出した係合凸部４１７が設けられている。一方、水栓ユニット本体３１０ａの上部には、収納棚４１０ａの係合凸部４１７と係合可能な係合凹部３１７が設けられている。図１９に表したように、水栓ユニット３００およびミラーキャビネット４００ａが所定位置に設置されたときには、収納棚４１０ａの係合凸部４１７は、水栓ユニット本体３１０ａの係合凹部３１７と係合している。このような係合構造は、収納棚４１０ａの底部４１１の周囲に亘って設けられている。これにより、第３の点検口４１５が収納棚４１０ａの底部４１１からミラーキャビネット４００ａのフロント面４３１に亘って形成されていても、ミラーキャビネット４００ａの強度、具体的にはミラーキャビネット４００ａの底部４１１の強度を確保することができる。
【００７４】
なお、収納棚４１０ａと水栓ユニット本体３１０との係合方法は、これだけに限定されるわけではない、例えば、収納棚４１０ａと水栓ユニット本体３１０とは、ねじなどの締結部材により係合されていてもよい。  
その他の構造は、図１６および図１７に関して前述した洗面化粧台１００ｄの構造と同様である。
【００７５】
本変形例によれば、収納棚４１０ａが設置されたときの強度を確保しつつ収納棚４１０ａの構造をより簡略化することができる。また、図１６および図１７に関して前述した効果と同様の効果が得られる。
【００７６】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、洗面台２００、水栓ユニット３００、およびミラーキャビネット４００などが備える各要素の形状、寸法、材質、配置などや第１〜第３の点検口４１３、４３３、４１５、棚板４６１、４７０、前面カバー４６３、およびカバー体４８０、４８０ａの設置形態などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００７７】
１００、１００ａ、１００ｂ、１００ｃ、１００ｄ、１００ｅ 洗面化粧台、  ２００ 洗面台、  ２０１ ボウル部、  ２０３ バックガード、  ３００ 水栓ユニット、  ３１０、３１０ａ 水栓ユニット本体、  ３１１ 傾斜面、  ３１３ 下端部、  ３１７ 係合凹部、  ３２０ 吐水部、  ３２１ 吐水孔、  ３２９ 配水ホース、  ３３０ 混合栓、  ３３１ 混合栓本体、  ３３２ 本体固定部材、  ３３３ カートリッジ、  ３３４ カートリッジ固定部材、  ３３５ 第１の配水管、  ３３６ 第２の配水管、  ３３７ ハンドル部、  ３３９、３４１ 締結部材、  ４００、４００ａ ミラーキャビネット、  ４１０、４１０ａ 収納棚、  ４１１ 底部、  ４１３ 第１の点検口、  ４１５ 第３の点検口、  ４１７ 係合凸部、  ４２０、４２０ａ、４２０ｂ ミラー、  ４２１、４２１ａ、４２１ｂ 下端部、  ４２５ 蝶番、  ４３１ フロント面、  ４３３ 第２の点検口、  ４３５ 下端部、  ４５０ 水栓ユニット収納部、  ４６１ 棚板、  ４６３ 前面カバー、  ４７０ 棚板、  ４７１ 棚板底部、  ４７３ 側壁、  ４８０、４８０ａ カバー体、  ４８１ 上面部、４８３ 側面部、  ５０１ 壁面
【図１】
2013192813.tif 000003
【図２】
2013192813.tif 000004
【図３】
2013192813.tif 000005
【図４】
2013192813.tif 000006
【図５】
2013192813.tif 000007
【図６】
2013192813.tif 000008
【図７】
2013192813.tif 000009
【図８】
2013192813.tif 000010
【図９】
2013192813.tif 000011
【図１０】
2013192813.tif 000012
【図１１】
2013192813.tif 000013
【図１２】
2013192813.tif 000014
【図１３】
2013192813.tif 000015
【図１４】
2013192813.tif 000016
【図１５】
2013192813.tif 000017
【図１６】
2013192813.tif 000018
【図１７】
2013192813.tif 000019
【図１８】
2013192813.tif 000020
【図１９】
2013192813.tif 000021